(57)【要約】      （修正有）【課題】ミスト噴霧部のメンテナンスや修理等を噴霧装置全体を取り外すことなく行うことが可能な噴霧装置を提供する。【解決手段】ミスト噴霧手段７０とそれに関与する部位をミスト噴霧部４０に設けることで、ミスト噴霧部４０単独でミスト噴霧部４０に対するメンテナンスや修理等を行うことができる。さらに、ミストの噴霧条件を調整する調整手段４４が、ミスト噴霧部４０に形成された調整孔４８と電源部に形成された貫通孔とを通して露出しているため、ミスト噴霧手段７０を動作させた状態で噴霧条件の調整を行うことができる。【選択図】図３
2010007900.tif 000002
【特許請求の範囲】
【請求項１】
空間の上部に設置され当該空間にミストを噴霧する噴霧装置において、
噴霧液を貯留するタンク部と前記噴霧液をミスト化し空間に噴霧するミスト噴霧手段と当該ミスト噴霧手段を制御する噴霧手段制御部とを備えたミスト噴霧部と、
前記ミスト噴霧部に電力を供給する電力供給部を備えた電源部と、を有し、
前記ミスト噴霧部は前記電源部に対し着脱可能に構成されていることを特徴とする噴霧装置。
【請求項２】
噴霧手段制御部がミストの噴霧条件を調整する調整手段を有し、
当該調整手段がミスト噴霧部に形成された調整孔と電源部に形成された貫通孔とを通して露出することを特徴とする請求項１記載の噴霧装置。
【発明の詳細な説明】
【技術分野】
【０００１】
本発明は、空間の上部に設置して空間にミストを噴霧する噴霧装置に関するものである。
【背景技術】
【０００２】
空間に水等の噴霧液をミスト化して噴霧し加湿を行う噴霧装置は、体感温度の上昇による暖房効率の向上や空気中の病原体や花粉の飛散を抑制し人体の健康維持等に極めて有益である。これら噴霧装置は、一般家庭の室内などの比較的面積の広い空間においては床に設置することが可能であるが、設置スペースの少ない車両等の比較的狭い空間や噴霧装置の存在が外観上好ましくない一般企業のフロアやディスプレイ内等では、空間の上部である天井等に設置するタイプのものを使用することが好ましい。
【０００３】
上記のような空間の上部に設置する噴霧装置の例としては、下記［特許文献１］に開示された発明が挙げられる。
【０００４】
【特許文献１】特開２００７−３１５６３３号公報
【発明の開示】
【発明が解決しようとする課題】
【０００５】
しかしながら、空間の上部に設置するタイプの噴霧装置は、空調器や照明等の設備が複合化されている場合が多い。このような付随設備を有する噴霧装置では、ミストを噴霧するためのミスト噴霧部のメンテナンスや修理等を行う際に、噴霧装置全体を取り外したり噴霧装置全体への電源供給を停止する必要があり、その間は付随設備を使用することができないという問題点がある。また、付随設備を備えていない場合でも、ミスト噴霧部のメンテナンスを行う度に噴霧装置全体を取り外す必要があり作業が極めて煩雑であるという問題点がある。
【０００６】
本発明は上記事情に鑑みてなされたものであり、ミスト噴霧部のメンテナンスや修理等を噴霧装置全体を取り外すことなく行うことが可能な噴霧装置を提供することを目的とする。
【課題を解決するための手段】
【０００７】
本発明は、
（１）空間の上部に設置され当該空間にミストを噴霧する噴霧装置において、
噴霧液を貯留するタンク部８０と前記噴霧液をミスト化し空間に噴霧するミスト噴霧手段７０と当該ミスト噴霧手段７０を制御する噴霧手段制御部とを備えたミスト噴霧部４０と、
前記ミスト噴霧部４０に電力を供給する電力供給部を備えた電源部３０と、を有し、
前記ミスト噴霧部４０は前記電源部３０に対し着脱可能に構成されていることを特徴とする噴霧装置１００を提供することにより、上記課題を解決する。
（２）噴霧手段制御部がミストの噴霧条件を調整する調整手段４４を有し、
当該調整手段４４がミスト噴霧部４０に形成された調整孔４８と電源部３０に形成された貫通孔３２とを通して露出することを特徴とする上記（１）記載の噴霧装置１００を提供することにより、上記課題を解決する。
【発明の効果】
【０００８】
本発明に係る噴霧装置は、上記のような構成のため、
（１）電源部とミスト噴霧部とを別体化し、ミストの噴霧に関与する部位をミスト噴霧部に設けることで、ミスト噴霧部のみを取り外してミスト噴霧部に対するメンテナンス等を行うことができる。
（２）ミストの噴霧条件を調整する調整手段が、ミスト噴霧部に形成された調整孔と電源部に形成された貫通孔とを通して露出しているため、ミスト噴霧部を動作させた状態で噴霧条件の調整を行うことができる。
【発明を実施するための最良の形態】
【０００９】
本発明に係る噴霧装置の実施の形態について図面に基づいて説明する。図１は、本発明に係る噴霧装置の設置例を示す図である。図２は、本発明に係る噴霧装置の電源部を示す図である。図３は、本発明に係る噴霧装置のミスト噴霧部を示す図である。尚、ここでは、車載用の噴霧装置を例に用いて説明を行うが、本発明は特に車載用に限定されるものではなく、空間の上部に設置するタイプの噴霧装置に対して適用が可能である。
【００１０】
図１に示す本発明に係る噴霧装置１００は、車両の天井部１に設置され付随設備１０を備えた電源部３０と、空間にミストを噴霧するとともに電源部３０と着脱可能なミスト噴霧部４０と、を有している。そして、電源部３０は車両のバッテリ等から電源ケーブル１２を介して電力を取得し、付随設備１０と電源部３０の各部及びミスト噴霧部４０に対し電力を供給する。また、電源部３０とミスト噴霧部４０とは、着脱ボタン５０を操作することにより容易に取り外すことができる。尚、本例においては、付随設備１０として車内を照らすルームライトを設けた例を示すが、付随設備１０は必ずしも設けなくとも良い。
【００１１】
次に、上記の電源部３０とミスト噴霧部４０とを、図２、図３を用いて更に詳しく説明する。
【００１２】
図２は、ミスト噴霧部４０を取り外した状態の電源部３０をミスト噴霧部４０の設置面側、即ち噴霧装置１００の設置状態における下方向から示した図である。噴霧装置１００の電源部３０は、ミスト噴霧部４０とは別に独立して動作する付随設備１０と、電源ケーブル１２と、ミスト噴霧部４０を取り外す際に押下する着脱ボタン５０と、ミスト噴霧部４０が設置可能な取り付け部３８と、ミスト噴霧部４０を動作させ空間にミストを噴霧するためのミスト噴霧スイッチ１９と、を有している。また、電源部３０の内部には、付随設備１０を制御する付随設備制御部と、電源ケーブル１２から供給される電力を付随設備１０とミスト噴霧部４０とに供給する電力供給部と、を有する電源部制御基板３４が設置されている。また、電源部制御基板３４の所定の位置には接触型の電源コネクタ３６ａが設置され、電源部３０はこの電源コネクタ３６ａを介してミスト噴霧部４０に電力を供給する。
【００１３】
電源部３０の取り付け部３８の両側面には保持体６２が形成され、この保持体６２とミスト噴霧部４０のストッパリブ６０とを係合することで、電源部３０にミスト噴霧部４０を取り付けることができる。また、取り付け部３８におけるミスト噴霧部４０の設置面には、電源部３０を車両の天井部１などにネジ等の締結部材を用いて固定するための設置孔１４と、後述するミスト噴霧部４０の調整手段４４を電源部３０の上面側に露出させる貫通孔３２と、電源部制御基板３４上の電源コネクタ３６ａを露出させるための電源コネクタ口３３ａと、ミスト噴霧部４０の着脱に用い着脱ボタン５０と連動して動作するホック部５２と、同じく着脱ボタン５０と連動してミスト噴霧部４０の取り外し方向に突出する着脱リブ５６と、を有している。
【００１４】
また図３は、電源部３０から取り外した状態のミスト噴霧部４０をミスト噴霧部４０の設置面側、即ち噴霧装置１００の設置状態における上方向から示した図である。噴霧装置１００のミスト噴霧部４０内には、ミストとなる噴霧液を貯留するタンク部８０と、ミスト噴霧手段７０を制御する噴霧手段制御部を備えるとともにミスト噴霧部４０の各部を制御する噴霧部制御基板４６と、を有している。また、ミスト噴霧部４０には、タンク部８０に貯留された噴霧液をミスト化し噴霧口７２から空間に噴霧するミスト噴霧手段７０と、ミスト噴霧部４０の両側面に形成され電源部３０の保持体６２と係合可能なストッパリブ６０と、電源部３０のホック部５２と係合する受け部５４と、を有している。
【００１５】
また、ミスト噴霧部４０のタンク部８０は、タンク部８０内に噴霧液を供給するための供給口８２を有しており、供給口８２はキャップ８２ａにより開閉可能となっている。また、ミスト噴霧部４０の噴霧部制御基板４６は、電源部３０の電源コネクタ３６ａと接触することで電源部３０から電力を取得する電源コネクタ３６ｂと、ミストの噴出量などの噴霧条件を調整するための調整手段４４と、を有している。そして、噴霧部制御基板４６の電源コネクタ３６ｂはミスト噴霧部４０の所定の位置に形成された電源コネクタ口３３ｂにより露出し、また、調整手段４４は同じくミスト噴霧部４０の所定の位置に形成された調整孔４８により露出している。尚、電源コネクタ口３３ｂには、タンク部８０への供給時に噴霧液等が電源コネクタ３６ｂに付着することを防止するスライド式の保護カバー１６を設けても良い。
【００１６】
噴霧液としては水道水の他、保湿性を有するヒアルロン酸水溶液や芳香成分が溶解した水溶液等、人体に悪影響を及ぼさない各種の液体を用いることができる。また、噴霧液に電解液を用いるとともに、ミスト噴霧部４０の所定の部位にタンク部８０内に貯留された噴霧液（電解液）を電解する電解手段を設け、電解手段で電解された電解液をミスト化して空間に噴霧するようにしても良い。この構成によれば、噴霧される電解液の効果により空間に存在する病原体や花粉による健康被害をさらに抑制することが可能となる。尚、一般的な水道水中には消毒のための次亜塩素酸化合物が溶解しており、この次亜塩素酸化合物は水の電解を助けるため水道水をそのまま電解液として使用しても良い。
【００１７】
また、ミスト噴霧部４０には、タンク部８０内の噴霧液が凍結した場合に、凍結した噴霧液を融解させるための加熱手段を設けても良い。
【００１８】
次に、本発明に係る噴霧装置１００の使用法を説明する。先ず、噴霧装置１００に対する初期設定を行う。噴霧装置１００の初期設定は、先ず、電源部３０の着脱ボタン５０を押下して、電源部３０のホック部５２とミスト噴霧部４０の受け部５４との係合状態を解除する。このとき、着脱リブ５６が突出してミスト噴霧部４０が取り外し方向に所定量スライドする。そして、電源部３０の保持体６２から、ミスト噴霧部４０のストッパリブ６０を取り外すことで、電源部３０からミスト噴霧部４０を取り外す。またこれと前後して、電源部３０の電源ケーブル１２と車両のバッテリ等からのケーブルとを接続する。
【００１９】
次に、ミスト噴霧部４０内に設置されたタンク部８０のキャップ８２ａを取り外し供給口８２を開栓する。また、保護カバー１６をスライドさせて電源コネクタ口３３ｂを閉鎖する。次に、供給口８２から例えば水道水などの噴霧液をタンク部８０内に供給する。そして、タンク部８０内に所定量の噴霧液が貯留されたところで供給を停止し、キャップ８２ａを供給口８２に取り付けて供給口８２を閉栓する。タンク部８０内に所定量の噴霧液が貯留されると、ミスト噴霧手段７０はタンク部８０に貯留された噴霧液を吸液する。
【００２０】
次に、保護カバー１６をスライドさせてミスト噴霧部４０の電源コネクタ口３３ｂを開け電源コネクタ３６ｂを露出させた後、ミスト噴霧部４０のストッパリブ６０と電源部３０の保持体６２とを係合するとともに、電源部３０のホック部５２とミスト噴霧部４０の受け部５４とを係合状態とする。これにより、ミスト噴霧部４０は電源部３０の取り付け部３８に取り付けられる。このとき、電源部３０の電源コネクタ３６ａとミスト噴霧部４０の電源コネクタ３６ｂとは接続状態となり、ミスト噴霧部４０に対し電源コネクタ３６ａ、３６ｂを介して電力が供給される。またこのとき、噴霧部制御基板４６上の調整手段４４は、ミスト噴霧部４０の調整孔４８と当該調整孔４８とほぼ同位置に形成された電源部３０の貫通孔３２とを通して露出する。
【００２１】
次に、ミスト噴霧スイッチ１９を操作する。これにより、噴霧部制御基板４６上の噴霧手段制御部がミスト噴霧手段７０を動作させ、ミスト噴霧手段７０はタンク部８０内から吸液した噴霧液をミスト化して噴霧口７２から空間に噴霧する。
【００２２】
次に、ミスト噴霧手段７０が動作している状態で、調整孔４８と貫通孔３２とにより露出した噴霧部制御基板４６上の調整手段４４をドライバ等の所定の冶具を用いて調整しミスト噴出量等の噴霧条件の初期設定を行う。このように本発明に係る噴霧装置１００によれば、噴霧部制御基板４６上の調整手段４４が調整孔４８と貫通孔３２とにより露出しているため、ミスト噴霧手段７０が動作している状態で初期設定を行うことができる。従って、噴霧条件の調整作業と噴霧条件の確認作業と交互に行う手間を省くことが可能となり、噴霧装置１００の初期設定を容易に行うことができる。
【００２３】
上記のようにして、噴霧装置１００に対する初期設定が終了したら、ミスト噴霧手段７０の動作を一旦停止し、前述の手順に則って電源部３０からミスト噴霧部４０を取り外す。そして、電源部３０の設置孔１４に所定の締結部材を挿入し、電源部３０を車両の天井部１などに固定した上で、再度、電源部３０にミスト噴霧部４０を取り付ける。
【００２４】
そして、ミスト噴霧部４０を動作させる場合には上記のミスト噴霧スイッチ１９を操作することによりミスト噴霧手段７０が動作し、ミスト化された噴霧液が空間に初期設定された噴霧条件で噴霧される。また、付随設備１０に対する図示しない付随設備操作スイッチを操作することで、噴霧装置１００の付随設備１０がミスト噴霧部４０とは別に独立して所定の動作を行う。
【００２５】
また、ミスト噴霧部４０のメンテナンスや修理等を行う場合には、ミスト噴霧部４０を電源部３０から取り外して行う。尚、ミスト噴霧部４０は、ミスト噴霧手段７０、噴霧手段制御部、タンク部８０等のミストの生成に関与する部分を全て備えているため、電源部３０が無くともミスト噴霧部４０に対するメンテナンスや修理等を行うことができる。また、付随設備１０に対する電力供給と制御を行う電源部制御基板３４は電源部３０の側に存在するため、噴霧装置１００の付随設備１０はメンテナンスや修理等のためにミスト噴霧部４０を長期に亘って取り外す場合であっても問題なく使用することができる。
【００２６】
以上のことから、本発明に係る噴霧装置１００によれば、ミスト噴霧手段７０とそれに関与する部位をミスト噴霧部４０に設けることで、ミスト噴霧部４０単独でミスト噴霧部４０に対するメンテナンスや修理等を行うことができる。また、付随設備１０はミスト噴霧部４０を取り外している状態でも問題なく使用することができる。
【００２７】
さらに、ミストの噴霧条件を調整する調整手段４４が、ミスト噴霧部４０に形成された調整孔４８と電源部３０に形成された貫通孔３２とを通して露出しているため、ミスト噴霧手段７０を動作させた状態で噴霧条件の調整を行うことができる。
【００２８】
尚、調整孔４８と貫通孔３２とを噴霧装置１００の側面方向に形成し、電源部３０を車両の天井部１などに固定した後に初期設定を行えるようにしても良い他、本発明は本発明の要旨を逸脱しない範囲で変更して実施することが可能である。
【図面の簡単な説明】
【００２９】
【図１】本発明に係る噴霧装置の設置例を示す図である。
【図２】本発明に係る噴霧装置の電源部を示す図である。
【図３】本発明に係る噴霧装置のミスト噴霧部を示す図である。
【符号の説明】
【００３０】
３０      電源部
３２      貫通孔
４０      ミスト噴霧部
４４      調整手段
４８      調整孔
７０      ミスト噴霧手段
８０      タンク部
１００    噴霧装置
【図１】
2010007900.tif 000003
【図２】
2010007900.tif 000004
【図３】
2010007900.tif 000005